(57)【要約】【課題】熱機械分析装置で試料をセットする場合に、試料台と試料の位置ずれを修正するなどの細かい調整が必要になり、多くの時間と労力を要していた。【解決手段】本発明のピンセットは、基端部５から二股状に延伸するとともに、基端部５と反対側の先端部６ａ，６ｂを互いに接離するように開閉操作される一対の脚部２ａ，２ｂと、一対の脚部２ａ，２ｂの先端部６ａ，６ｂに設けられ、一対の脚部２ａ，２ｂを閉じることにより物品を把持する一対の把持部３ａ，３ｂと、を備え、一対の把持部３ａ，３ｂは、一対の脚部２ａ，２ｂを閉じたときに筒形をなす半割構造体によって構成されている。【選択図】図２
2019022927.tif 000002
【特許請求の範囲】
【請求項１】
基端部から二股状に延伸するとともに、前記基端部と反対側の先端部を互いに接離するように開閉操作される一対の脚部と、
前記一対の脚部の先端部に設けられ、前記一対の脚部を閉じることにより物品を把持する一対の把持部と、
を備え、
前記一対の把持部は、前記一対の脚部を閉じたときに筒形をなす半割構造体によって構成されている、ピンセット。
【請求項２】
前記一対の把持部は、前記一対の脚部を閉じたときに円筒形をなす、平面視半円形の半割構造体によって構成されている、
請求項１に記載のピンセット。
【請求項３】
前記一対の把持部は、前記一対の脚部を閉じたときに角筒形をなす、平面視Ｌ字形の半割構造体によって構成されている、
請求項１に記載のピンセット。
【請求項４】
前記一対の把持部は、前記一対の脚部の先端部に着脱可能に構成されている、
請求項１〜３のいずれか１項に記載のピンセット。
【請求項５】
前記ピンセットにおいては、力が加えられることにより一対の脚部が互いに離れる逆作動方式が採用された、
請求項１〜４のいずれか１項に記載のピンセット。
【請求項６】
基端部から二股状に延伸するとともに、前記基端部と反対側の先端部を互いに接離するように開閉操作されるピンセットの一対の脚部の各々の先端部に着脱可能なピンセット用付属部品であって、
前記ピンセット用付属部品を前記一対の脚部の各々の先端部に取り付けた状態で前記一対の脚部を閉じたときに筒形をなす半割構造体によって構成されている、ピンセット用付属部品。
【発明の詳細な説明】
【技術分野】
【０００１】
本発明は、ピンセットおよびその付属部品に関し、特に、熱機械分析（ＴＭＡ）の対象となる試料を把持する際に用いて好適なピンセットおよびその付属部品に関する。
【背景技術】
【０００２】
熱機械分析装置は、熱膨張、熱収縮、軟化点等の測定を行う熱分析装置の一つである。熱膨張や熱収縮を測定するモードでは、熱機械分析装置にセットされた試料に対し、装置上部から荷重をかけた状態で熱を加え、熱膨張量及び熱収縮量の計測を行う。
【０００３】
熱機械分析用の試料は、熱機械分析装置の試料セット部にセットされる。試料のセットには、多くの場合、一般的な汎用型のピンセット（以下、「汎用型ピンセット」という。）が使用されている。
【０００４】
なお、ピンセットに関する先行技術としては、たとえば、特許文献１〜３に記載された技術が知られている。
【先行技術文献】
【特許文献】
【０００５】
【特許文献１】特開２００９−１３６９８２号公報
【特許文献２】特開２００９−２２０２５６号公報
【特許文献３】特開２０１０−２１４５４２号公報
【発明の概要】
【発明が解決しようとする課題】
【０００６】
熱機械分析装置の試料セット部に試料をセットする場合は、試料に均一な荷重が加わるように、試料と治具を一直線上に配列してセットする必要がある。仮に、試料と治具がずれてセットされると、測定中に試料が破砕したり、局所的に変形したりして、正しい測定結果が得られないおそれがある。そのため、試料をセットするときの配列は、熱機械分析の測定において極めて重要である。
【０００７】
また、熱機械分析に用いられる試料の形状は円柱形が望ましいとされている。このため、試料は円柱形に成型されて治具と一緒にセットされる。治具には、試料と同じ平面視形状を有する円柱形の試料台などが用いられる。試料は、試料台の上に積み上げられて試料セット部にセットされる。
【０００８】
しかしながら、汎用型ピンセットを用いて試料をセットする場合は、たとえば、試料台と試料の位置ずれを修正するなど、非常に細かい調整が必要になる。このため、試料の位置を微調整しようとして試料を倒してしまうおそれがあった。また、試料と治具を一直線上に合わせるのに多くの時間を要していた。したがって、試料のセットには多大な労力が必要とされていた。
【０００９】
本発明の主な目的は、熱機械分析装置で試料のセットを簡単かつ確実に行うことができる技術を提供することにある。
【課題を解決するための手段】
【００１０】
（第１の態様）
本発明の第１の態様は、
基端部から二股状に延伸するとともに、前記基端部と反対側の先端部を互いに接離するように開閉操作される一対の脚部と、
前記一対の脚部の先端部に設けられ、前記一対の脚部を閉じることにより物品を把持する一対の把持部と、
を備え、
前記一対の把持部は、前記一対の脚部を閉じたときに筒形をなす半割構造体によって構成されている、ピンセットである。
（第２の態様）
本発明の第２の態様は、
前記一対の把持部は、前記一対の脚部を閉じたときに円筒形をなす、平面視半円形の半割構造体によって構成されている、
上記第１の形態に記載のピンセットである。
（第３の態様）
本発明の第３の態様は、
前記一対の把持部は、前記一対の脚部を閉じたときに角筒形をなす、平面視Ｌ字形の半割構造体によって構成されている、
上記第１の態様に記載のピンセットである。
（第４の態様）
本発明の第４の態様は、
前記一対の把持部は、前記一対の脚部の先端部に着脱可能に構成されている、
上記第１〜第３の態様のいずれか１つに記載のピンセットである。
（第５の態様）
本発明の第５の態様は、
前記ピンセットにおいては、力が加えられることにより一対の脚部が互いに離れる逆作動方式が採用された、
上記第１〜第４の態様のいずれか１つに記載のピンセットである。
（第６の態様）
本発明の第６の態様は、
基端部から二股状に延伸するとともに、前記基端部と反対側の先端部を互いに接離するように開閉操作されるピンセットの一対の脚部の各々の先端部に着脱可能なピンセット用付属部品であって、
前記ピンセット用付属部品を前記一対の脚部の各々の先端部に取り付けた状態で前記一対の脚部を閉じたときに筒形をなす半割構造体によって構成されている、ピンセット用付属部品である。
【発明の効果】
【００１１】
本発明によれば、熱機械分析装置で試料のセットを簡単かつ確実に行うことができる。
【図面の簡単な説明】
【００１２】
【図１】熱機械分析装置の試料セット部を説明するための側断面図である。
【図２】（Ａ）は本発明の実施形態に係るピンセットの構成を示す平面図であり、（Ｂ）は正面図である。
【図３】（Ａ），（Ｂ）は本発明の実施形態に係るピンセットの使用方法を説明する図である。
【図４】（Ａ）〜（Ｃ）は本発明の実施形態に係るピンセットを用いて熱機械分析装置の試料セット部に試料をセットする場合の手順を説明する図である。
【図５】本発明の他の実施形態に係るピンセットの構成を示す平面図である。
【図６】本発明の他の実施形態に係るピンセットの使用方法を説明する図である。
【図７】本発明の他の実施形態に係るピンセットの構成を示す平面図である。
【図８】（Ａ）は本発明の更に他の実施形態に係るピンセットカバーの構成を示す平面図であり、（Ｂ）は側面図である。
【発明を実施するための形態】
【００１３】
以下、本発明の実施形態について図面を参照しつつ詳細に説明する。
本発明の実施形態においては、次の順序で説明を行う。
１．熱機械分析装置の試料セット部
２．熱機械分析の手順
３．ピンセットの構成
４．ピンセットの使用方法
５．熱機械分析におけるピンセットの使用
６．実施形態の効果
７．他の実施形態
８．変形例等
【００１４】
＜１．熱機械分析装置の試料セット部＞
まず、熱機械分析装置の試料セット部について図１を用いて説明する。
試料セット部１００には、試料台１０１と２つの融着防止板１０２，１０３を用いて、試料１０５がセットされる。試料台１０１と２つの融着防止板１０２，１０３は、試料セット部１００に試料１０５をセットする際に用いられる治具である。
【００１５】
試料台１０１は、たとえばアルミナによって構成されている。試料台１０１は、円柱形に形成されている。試料台１０１は、試料セット部１００で試料１０５を所定の高さに配置するために使用される。試料台１０１の高さは、たとえば２０ｍｍである。試料台１０１の直径は、たとえば４〜５ｍｍである。
【００１６】
２つの融着防止板１０２，１０３は、熱機械分析の測定で試料１０５に所定の荷重をかけつつ加熱した場合に、試料１０５が試料台１０１や検出棒１０６に融着することを防止するために使用される。一方の融着防止板１０２は、試料台１０１と試料１０５の間に配置され、他方の融着防止板１０３は、試料１０５と検出棒１０６の間に配置される。融着防止板１０２，１０３は、試料台１０１と同一の材料（本実施形態ではアルミナ）によって構成されている。また、融着防止板１０２，１０３は、試料台１０１と同様に円柱形に形成されている。融着防止板１０２，１０３の直径は、それぞれ試料台１０１の直径と同一である。各々の融着防止板１０２，１０３の高さは、たとえば２ｍｍである。
【００１７】
試料１０５は、円柱形に形成されている。試料１０５は、試料台１０１や融着防止板１０２，１０３と同一の平面形状を有する。試料１０５の直径は、試料台１０１や融着防止板１０２，１０３と直径と同一である。試料１０５の高さは、たとえば１〜２ｍｍである。
【００１８】
検出棒１０６は、図中矢印で示すように上下方向に移動可能に設けられている。検出棒１０６は、試料１０５に荷重を加えるときに下降し、荷重を加えない場合は上昇して待避する。検出棒１０６の直径は、試料台１０１や融着防止板１０２，１０３の直径と同一である。検出棒１０６は、試料１０５の熱膨張または熱収縮に従って上下方向に変位する。このため、熱機械分析装置では、検出棒１０６の変位量を変位検出部（不図示）で計測することにより、試料１０５の熱膨張量または熱収縮量を測定することができる。
【００１９】
＜２．熱機械分析の手順＞
次に、上記構成の熱機械分析装置を用いて試料１０５の熱膨張や熱収縮を測定する場合の手順について説明する。
【００２０】
まず、熱機械分析の試料を準備する。この段階の試料は粉末状である。
次に、粉末状の試料を加圧成型などによって円柱状に成型することにより、上記の試料１０５を得る。
【００２１】
次に、試料セット部１００に試料台１０１や融着防止板１０２，１０３と一緒に試料１０５をセットする。このとき、試料台１０１、融着防止板１０２、試料１０５および融着防止板１０３を一直線上に配列する。
次に、検出棒１０６によって試料１０５に所定の荷重をかけながら熱を加えることにより、試料１０５の熱膨張または熱収縮の測定を開始する。
【００２２】
上記の手順において、たとえば、汎用型ピンセットを用いて試料セット部１００に試料１０５をセットする場合は、まず、汎用型ピンセットで試料台１０１を摘まんで試料セット部１００に試料台１０１を置く。次に、汎用型ピンセットで融着防止板１０２を摘まんで試料台１０１の上に積み上げる。
【００２３】
次に、汎用型ピンセットで試料１０５を摘まんで融着防止板１０２の上に積み上げる。次に、ピンセットで融着防止板１０３を摘まんで試料１０５の上に積み上げる。
【００２４】
このように、汎用型ピンセットを使って試料１０５をセットする場合は、試料セット部１００に置いた試料台１０１の上に、融着防止板１０２、試料１０５および融着防止板１０３を順に１つずつ積み上げる。その際、試料台１０１から融着防止板１０３まで一直線上に配列されるよう、試料１０５や融着防止板１０２，１０３の位置を微調整する。微調整は汎用型ピンセットを用いて行う。
【００２５】
ここで、試料台１０１の上に融着防止板１０２，１０３や試料１０５が一直線上に配列される状態とは、試料セット部１００に積み上げられた各部の中心軸の位置が一致する状態を意味する。本実施形態のように、各部の直径が実質的に同じであれば、各部の外周面の位置を面一に揃えることで一直線上に配列することができる。ただし、微調整には多大な労力が必要となる。たとえば、試料台１０１の上に融着防止板１０２を載せて融着防止板１０２の位置を微調整し、その後、融着防止板１０２の上に試料１０５を載せて試料１０５の位置を微調整する場合に、融着防止板１０２の位置がずれてしまうことがある。そこで本発明者は、新規なピンセットを考え出した。
【００２６】
＜３．ピンセットの構成＞
以下、本発明の実施形態に係るピンセットの構成について説明する。
図２（Ａ）は本発明の実施形態に係るピンセットの構成を示す平面図であり、（Ｂ）は正面図である。
【００２７】
図示したピンセット１は、使用者によって開閉操作される一対の脚部２ａ，２ｂと、物品を把持するための一対の把持部３ａ，３ｂと、を備える。ピンセット１の材料は、たとえば、ステンレス鋼などの金属でも、あるいはポリアセタールなどのプラスチックでもよいが、好ましくは金属である。
【００２８】
（一対の脚部）
一対の脚部２ａ，２ｂは、基端部５から二股状に延伸している。各々の脚部２ａ，２ｂは、所定の長さを有する板状体によって構成されている。一対の脚部２ａ，２ｂは長さ方向の一端部を基端部５とし、この基端部５で一対の脚部２ａ，２ｂが互いに連結されている。一対の脚部２ａ，２ｂは、それぞれ長さ方向の他端部、すなわち基端部５と反対側の端部を先端部６ａ，６ｂとしている。各々の脚部２ａ，２ｂの幅Ｗは、それぞれ長さ方向の途中から先端部６ａ，６ｂに向かって徐々に狭くなっている。また、一対の脚部２ａ，２ｂは、基端部５を支点に開閉操作可能に構成されている。ここで記述する「開閉操作」とは、一対の脚部２ａ，２ｂの先端部６ａ，６ｂを互いに接離する方向に変位させる操作をいう。
【００２９】
一対の脚部２ａ，２ｂは、外力が加えられていない状態では一対の脚部２ａ，２ｂ自身の弾性により先端部６ａ，６ｂが所定の距離を隔てて離間した状態に保持される。そして、一対の脚部２ａ，２ｂに対し、上記弾性に対抗する外力を加えると、先端部６ａ，６ｂが互いに接近する方向に変位し、その状態で外力を解放すると、先端部６ａ，６ｂが互いに離間する方向に変位するようになっている。なお、上記弾性に対抗する外力は、使用者がピンセット１を閉じ操作するときに一対の脚部２ａ，２ｂに加えられる押圧力となる。
【００３０】
（一対の把持部）
一対の把持部３ａ，３ｂは、一対の脚部２ａ，２ｂの先端部６ａ，６ｂに設けられている。具体的には、一方の把持部３ａは脚部２ａの先端部６ａに設けられ、他方の把持部３ｂは脚部２ｂの先端部６ｂに設けられている。一対の把持部３ａ，３ｂは、一対の脚部２ａ，２ｂを閉じ操作したときに筒形をなす半割構造体によって構成されている。半割構造体とは、筒形の構造物をその中心軸に沿って半分に分割した場合に得られる構造体である。
【００３１】
図２（Ａ），（Ｂ）においては筒形が円筒形である場合を例示している。円筒形の構造物を上記のように半分に分割すると、それぞれ半円形をなす２つの半割構造体が得られる。一対の把持部３ａ，３ｂは、この半円形の半割構造体によって構成されている。脚部２ａの先端部６ａは把持部３ａの外周面に固定され、脚部２ｂの先端部６ｂは把持部３ｂの外周面に固定されている。また、脚部２ａの先端部６ａは把持部３ａの高さ方向の中間部に固定され、脚部２ｂの先端部６ｂも把持部３ｂの高さ方向の中間部に固定されている。このため、把持部３ａは、脚部２ａの先端部６ａから上下方向に突出し、把持部３ｂは、脚部２ｂの先端部６ｂから上下方向に突出している。
【００３２】
なお、一対の把持部３ａ，３ｂは、それぞれ平面視半円形に形成されるが、一対の脚部２ａ，２ｂを閉じ操作したときに、完全に閉じた円筒形を形成する必要はなく、たとえば、円筒形の円周方向の一部が欠落した半割構造になっていてもよい。
【００３３】
一対の把持部３ａ，３ｂの内周面は、それぞれ物品を把持するための把持面４ａ，４ｂとなっている。各々の把持面４ａ，４ｂは、ピンセット１で把持しようとする物品の形状に沿うように形成されている。たとえば、物品の形状が円柱形（または円筒形）であるとすると、一対の把持部３ａ，３ｂの把持面４ａ，４ｂは、円柱形の物品の外周面に沿うように形成されている。また、円筒形をなす半割構造体によって一対の把持部３ａ，３ｂを構成する場合は、その円筒形の内径が円柱形の物品の外径と同一に設定される。これにより、各々の把持面４ａ，４ｂの曲率半径と物品の外周面の曲率半径が同一になる。
【００３４】
一対の把持部３ａ，３ｂの高さ寸法は、ピンセット１で把持しようとする物品の高さ寸法に応じて設定される。具体的には、一対の把持部３ａ，３ｂの高さ寸法は、物品の高さ寸法と同じか、それよりも少し（たとえば、１ｍｍほど）小さく設定することが好ましい。このように把持部３ａ，３ｂの高さ寸法を設定すれば、ピンセット１で把持した物品を外部から視認しやすくなる。
【００３５】
＜４．ピンセットの使用方法＞
次に、本発明の実施形態に係るピンセットの使用方法について説明する。ここでは円柱形の物品をピンセットで把持する場合を例に挙げて説明する。
まず、ピンセット１を手に持って、図３（Ａ）に示すように、一対の脚部２ａ，２ｂを開いたまま、一対の把持部３ａ，３ｂの間に物品７を配置する。
【００３６】
次に、図３（Ｂ）に示すように、一対の脚部２ａ，２ｂを閉じ操作する。閉じ操作では、一対の脚部２ａ，２ｂに対し、破線の矢印方向に押圧力を加える。そうすると、一対の把持部３ａ，３ｂが互いに接近し、その接近途中で物品７を両側から挟むように把持する。このとき、一対の把持部３ａ，３ｂの把持面４ａ，４ｂは、円筒形の物品７の外周面に面接触で接触する。これにより、物品７をピンセット１でつまみ上げることができる。
【００３７】
また、上述のように一対の把持部３ａ，３ｂで物品７を把持すると、物品７の中心軸は、一対の把持部３ａ，３ｂが形成する円筒形の中心軸に位置合わせされる。このため、たとえば上下に積み重ねられた複数の物品を一対の把持部３ａ，３ｂで一緒に把持すると、複数の物品の中心軸が互いに一致する状態、すなわち複数の物品が一直線上に配列された状態となる。
【００３８】
その後、一対の脚部２ａ，２ｂを開き操作すると、一対の把持部３ａ，３ｂが互いに離間する方向に変位する。開き操作では、閉じ操作による押圧力を解放する。そうすると、一対の脚部２ａ，２ｂが自身の弾性によって外側に開く。このため、一対の把持部３ａ，３ｂが物品７から離れる。これにより、物品７を元の場所から別の場所に移すことができる。
【００３９】
＜５．熱機械分析におけるピンセットの使用＞
次に、本発明の実施形態に係るピンセットを熱機械分析で使用する場合について説明する。
【００４０】
熱機械分析でピンセット１を使用する場合は、まず、図４（Ａ）に示すように、平らな台１０８の上（たとえば、机上など）で、試料台１０１、融着防止板１０２、試料１０５および融着防止板１０３を順に積み上げる。この作業は、汎用型ピンセットを使用して行ってもよいし、ピンセット等を使用せずに手作業で行ってもよい。また、この段階では、試料台１０１の上に融着防止板１０２，１０３や試料１０５が一直線上に配列されていなくてもよい。つまり、試料台１０１に対して融着防止板１０２，１０３や試料１０５の位置が水平方向にずれていてもよい。よって、汎用型ピンセット等を用いた位置の微調整は不要である。
【００４１】
次に、図４（Ｂ）に示すように、上述のように積み上げた試料台１０１、融着防止板１０２、試料１０５および融着防止板１０３をピンセット１でつまむ。具体的には、一対の把持部３ａ，３ｂの底面を台１０８の上に載せるとともに、一対の把持部３ａ，３ｂの間に試料台１０１等を配置し、その状態で一対の脚部２ａ，２ｂを閉じ操作する。これにより、試料台１０１とその上に積み上げられた融着防止板１０２、試料１０５および融着防止板１０３が、一対の把持部３ａ，３ｂによって同時に把持される。このとき、試料台１０１、融着防止板１０２、試料１０５および融着防止板１０３の各中心軸が互いに一致するように、一対の把持部３ａ，３ｂがそれらの物品を一直線上に配列させる。
【００４２】
次に、試料台１０１、融着防止板１０２、試料１０５および融着防止板１０３をピンセット１でつまみ上げて、図４（Ｃ）に示すように、熱機械分析装置の試料セット部１００に移し、そこでゆっくりと開き操作する。これにより、試料台１０１、融着防止板１０２、試料１０５および融着防止板１０３が一直線上に配列されて試料セット部１００にセットされる。
【００４３】
＜６．実施形態の効果＞
本発明の実施形態に係るピンセット１によれば、円柱状または円筒状の物品を一対の把持部３ａ，３ｂで把持すべく、一対の脚部２ａ，２ｂを閉じ操作した場合に、一対の把持部３ａ，３ｂの中心軸に上記物品の中心軸を位置合わせすることができる。このため、たとえば、熱機械分析装置で試料セット部１００に試料１０５をセットする場合は、試料台１０１、融着防止板１０２、試料１０５および融着防止板１０３を、一対の把持部３ａ，３ｂで一緒に把持するだけで、それらの物品を一直線上に配列させることができる。したがって、熱機械分析装置で試料１０５のセットを簡単かつ確実に行うことができる。その結果、熱機械分析にかかる時間と労力を節約し、試料１０５の熱膨張や熱収縮の測定を効率良く行うことが可能となる。
【００４４】
また、本発明の実施形態では、一対の脚部２ａ，２ｂを閉じたときに円筒形をなす半割構造体によって一対の把持部３ａ，３ｂを構成している。このため、熱機械分析の試料１０５のように円柱形（または円筒形）の物品を把持する場合に、物品の外周面に一対の把持部３ａ，３ｂの内周面を面接触で接触させることができる。したがって、物品を安定的に把持することができる。
【００４５】
＜７．他の実施形態＞
図５は本発明の他の実施形態に係るピンセットの構成を示す平面図である。
図示したピンセット１は、一対の把持部３ａ，３ｂの構造が上記実施形態と異なる。具体的には、上記実施形態においては、一対の脚部２ａ，２ｂを閉じたときに円筒形をなす半割構造体によって一対の把持部３ａ，３ｂを構成しているが、他の実施形態においては、円筒形ではなく角筒形の半割構造体によって一対の把持部３ａ，３ｂを構成している。
【００４６】
一対の把持部３ａ，３ｂは、それぞれ平面視Ｌ字形に形成されており、一対の脚部２ａ，２ｂを閉じ操作したときに平面視四角形の角筒形をなすように構成されている。一対の把持部３ａ，３ｂのうち、一方の把持部３ａの内側には、平面視で直角をなす２つの把持面４ａが形成され、他方の把持部３ｂの内側にも、平面視で直角をなす２つの把持面４ｂが形成されている。なお、２つの把持面４ａがなす角度や、２つの把持面４ｂがなす角度は、対象となる物品を把持できるようであれば、９０°よりも大きくても小さくしてもかまわない。
【００４７】
これに対し、脚部２ａの先端部６ａは把持部３ａの外側の角部に固定され、脚部２ｂの先端部６ｂは把持部３ｂの外側の角部に固定されている。これにより、一対の支持部２ａ，２ｂを開閉操作すると、これに従って一対の把持部３ａ，３ｂが互いに接離する方向に変位する。
【００４８】
上記構成からなるピンセット１においても、上記実施形態と同様の効果が得られる。
具体的には、円筒形または円柱形の物品を把持する場合は、一対の把持部３ａ，３ｂの間に物品７を配置した後、一対の脚部２ａ，２ｂを閉じ操作する（図６）。そうすると、一対の把持部３ａ，３ｂが互いに接近し、その接近途中で４つの把持面４ａ，４ｂが物品７の外周面に線接触で接触する。これにより、一対の把持部３ａ，３ｂは、４つの把持面４ａ，４ｂで物品７を４方向から挟むように把持する。したがって、物品７をピンセット１でつまみ上げることができる。
【００４９】
また、上述のように一対の把持部３ａ，３ｂで物品７を把持すると、物品７の中心軸は、一対の把持部３ａ，３ｂが形成する角筒形の中心軸に位置合わせされる。このため、たとえば上下に積み重ねられた複数の物品を一対の把持部３ａ，３ｂで一緒に把持すると、複数の物品の中心軸が互いに一致する状態、すなわち複数の物品が一直線上に配列された状態となる。
【００５０】
その後、一対の脚部２ａ，２ｂを開き操作すると、一対の把持部３ａ，３ｂが互いに離間する方向に変位する。開き操作では、閉じ操作による押圧力を解放する。そうすると、一対の脚部２ａ，２ｂが自身の弾性によって外側に開く。このため、一対の把持部３ａ，３ｂが物品７から離れる。これにより、物品７を元の場所から別の場所に移すことができる。
【００５１】
一方、上記構成からなるピンセット１を熱機械分析で使用する場合は、上記実施形態と同様に、平らな台の上に試料台１０１、融着防止板１０２、試料１０５および融着防止板１０３を積み上げた後、これらの物品を一対の把持部３ａ，３ｂで把持するようにピンセット１でつまむ。これにより、試料台１０１、融着防止板１０２、試料１０５および融着防止板１０３を一直線上に配列させ、その状態のまま試料セット部１００にセットすることができる。
【００５２】
図７は、本発明の他の実施形態に係るピンセットの構成を示す平面図である。
図示したピンセット１は、一対の把持部３ａ，３ｂ以外の構造が上記実施形態と異なる。具体的には、上記実施形態においては、ピンセット１の一対の基端側脚部２１ａ，２１ｂを近接させるように力を加えることにより、一対の末端側脚部２２ａ，２２ｂが外側に開くという逆作動方式を採用している。
【００５３】
上記の逆作動方式のピンセット１を採用することにより、力を加えていない通常状態だと一対の末端側脚部２２ａ，２２ｂは互いに接触状態すなわち閉じた状態である。これは、開いた状態に比べ、嵩張らない状態であることを意味する。
【００５４】
熱機械分析装置で試料セット部１００に試料１０５をセットする際に、試料台１０１、融着防止板１０２、試料１０５および融着防止板１０３を配置するための作業スペースが非常に狭い場合がままある。その場合、逆作動方式のピンセット１を採用することにより、予めピンセット１の一対の把持部３ａ，３ｂに試料１０５を把持させておいたうえで、ピンセット１を移動させて試料１０５をセットする直前まで力を抜いて作業が行える。そして試料１０５のセットの際にのみピンセット１に力を加えればよい。また、試料１０５のセット後、作業スペースからのピンセット１を引き抜く際にも力を抜いて行える。そのため、術者にとっては作業の確実性が向上する。その結果、上記の逆作動方式のピンセット１を採用するのが好ましい。
【００５５】
＜８．変形例等＞
本発明の技術的範囲は上述した実施形態に限定されるものではなく、発明の構成要件やその組み合わせによって得られる特定の効果を導き出せる範囲において、種々の変更や改良を加えた形態も含む。
【００５６】
たとえば、上記実施形態においては、一対の脚部２ａ，２ｂと一対の把持部３ａ，３ｂを相互に固定したが、これに限らず、一対の脚部２ａ，２ｂの先端部６ａ，６ｂに対して、一対の把持部３ａ，３ｂを着脱可能な構成を採用してもよい。
【００５７】
着脱のための具体的な構造としては、たとえば、ネジ止めによって一対の把持部３ａ，３ｂを一対の脚部２ａ，２ｂに取り付ける構造を採用することが可能である。
【００５８】
図８（Ａ）は本発明の更に他の実施形態に係るピンセットカバーの構成を示す平面図であり、（Ｂ）は側面図である。
着脱のための別の具体的な構造としては、たとえば、従来のピンセットの一対の脚部２ａ，２ｂの先端部６ａ，６ｂに対し、上記の一対の把持部３ａ，３ｂの形状を有するピンセットカバーを採用することが可能である。このピンセットカバーとしては樹脂製でも金属製でもよい。この構造を採用することにより、従来のピンセットをピンセットカバーの孔Ｈに嵌め入れるだけで本発明の技術が使用可能となり、汎用性に富む。
【００５９】
上記の構成を採用した場合は、一対の脚部２ａ，２ｂをピンセット本体として共用する一方、一対の把持部３ａ，３ｂをアタッチメントすなわちピンセット１の付属部品として使用することができる。また、アタッチメントとなる一対の把持部３ａ，３ｂを、サイズを変えて複数用意しておけば、物品のサイズに合わせて一対の把持部３ａ，３ｂを使い分けることができる。これにより、たとえば、熱機械分析に用いられる試料台１０１の高さが変更になる場合に、変更後の試料台１０１の高さに適合するサイズの把持部３ａ，３ｂを選んで使用することができる。このため、ピンセットの利便性を向上させることができる。
なお、従来のピンセットを用いる場合であっても上記アタッチメントを利用することにより本発明の効果を奏する。そのため、上記アタッチメントはそれ自体で発明足りうる。この発明の構成は以下の通りである。
「基端部から二股状に延伸するとともに、前記基端部と反対側の先端部を互いに接離するように開閉操作されるピンセットの一対の脚部の各々の先端部に着脱可能なピンセット用付属部品であって、
前記ピンセット用付属部品を前記一対の脚部の各々の先端部に取り付けた状態で前記一対の脚部を閉じたときに筒形をなす半割構造体によって構成されている、ピンセット用付属部品。」
アタッチメントであるピンセット用付属部品は、一つの形状のものを２個準備し、一対の脚部の各々の先端部に装着すればよい。そのため、１個のピンセット用付属部品としても本発明の効果を奏するといえるし、２個一組である一対のピンセット用付属部品としても本発明の効果を奏するといえる。
また、上記実施形態の各例を上記構成に対して適宜採用しても構わない。
【００６０】
また、上記実施形態においては、上記図２（Ｂ）に示すように脚部２ｂと把持部３ｂが略Ｔ字形をなすよう、一対の脚部２ａ，２ｂと一対の把持部３ａ，３ｂが互いに直角をなす向きに配置されているが、これに限らず、一対の把持部３ａ，３ｂに対して一対の脚部２ａ，２ｂが斜めに傾いた構成になっていてもよいし、各々の脚部２ａ，２ｂが長さ方向の途中でクランク形状に曲がった構成になっていてもよい。
【００６１】
また、一対の把持部３ａ，３ｂの平面視形状は、半円形どうしの組み合わせや、Ｌ字形どうしの組み合わせに限らず、たとえば、一方の把持部が半円形で、他方の把持部がＬ字形の組み合わせであってもよい。
【符号の説明】
【００６２】
１…ピンセット
２ａ，２ｂ…脚部
２１ａ，２１ｂ…基端側脚部
２２ａ，２２ｂ…末端側脚部
３ａ，３ｂ…把持部
５…基端部
６ａ，６ｂ…先端部
７…物品
Ｈ…孔
１００…試料セット部
１０１…試料台
１０２，１０３…融着防止板
１０５…試料
１０６…検出棒 
【図１】
2019022927.tif 000003
【図２】
2019022927.tif 000004
【図３】
2019022927.tif 000005
【図４】
2019022927.tif 000006
【図５】
2019022927.tif 000007
【図６】
2019022927.tif 000008
【図７】
2019022927.tif 000009
【図８】
2019022927.tif 000010